(57)【要約】      （修正有）【課題】圧迫感や閉塞感を緩和することや、被検体に対する撮像に関する情報を検査室内で医療従事者が確認するときの利便性を向上させることが可能な医用画像診断システムの提供。【解決手段】医用画像診断システムは、架台と、投影機１００とを有する。架台は、被検体Ｐが挿入されるボアを有する。投影機１００は、架台の外装における前記ボアの開口部を有する面と前記ボアの内部とにそれぞれ異なる映像を投影する。【選択図】図６
2018029763.tif 000002
【特許請求の範囲】
【請求項１】
被検体が挿入されるボアを有する架台と、
前記架台の外装における前記ボアの開口部を有する面と前記ボアの内部とにそれぞれ異なる映像を投影する投影機と、
を備えた医用画像診断システム。
【請求項２】
前記架台の外装における前記開口部を有する２つの面のうち一方の面の前記開口部を介して前記架台のボア内に挿脱自在に移動可能であって前記被検体が載置される天板を有する寝台をさらに備え、
前記投影機は、前記２つの面のうち前記一方の面とは異なる他方の面に対して前記映像を投影する、
請求項１に記載の医用画像診断システム。
【請求項３】
前記投影機は、前記被検体に対する撮像に関する情報を前記映像として前記他方の面に投影する、
請求項２に記載の医用画像診断システム。
【請求項４】
前記他方の面の一部に設けられ、前記架台が設置された検査室の壁面に向けて前記映像を反射する反射体をさらに備え、
前記投影機は、前記情報に対応する映像を反転させた反転映像を前記反射体に投影する、
請求項３に記載の医用画像診断システム。
【請求項５】
前記情報は、前記被検体の生体情報、医療従事者により選択されたＲＦコイルの種別を示す情報、前記被検体に対する撮像により再構成された再構成画像、撮像条件のうち少なくとも一つである、
請求項３または４に記載の医用画像診断システム。
【請求項６】
前記投影機は、前記他方の面の開口部に対する医療従事者の相対的な位置に応じて、前記撮像に関する情報を示す映像の投影位置を変更する、
請求項３乃至５のうちいずれか一項に記載の医用画像診断システム。
【請求項７】
前記架台のボア内に配置され、前記内部に投影される前記映像を映し出すスクリーンと前記スクリーンに映し出された前記映像を反射する反射板と前記反射板を支持する支持体とを有するスクリーン装置をさらに備える、
請求項２乃至６のうちいずれか一項に記載の医用画像診断システム。
【請求項８】
前記反射板と前記支持体と前記スクリーンとのうち少なくとも一つに搭載され、前記天板に載置された被検体を撮影する撮影部をさらに備え、
前記投影機は、前記撮影部により撮影された前記被検体の映像を前記他方の面に投影する、
請求項７に記載の医用画像診断システム。
【請求項９】
前記他方の面の一部に設けられ、前記架台が設置された検査室の壁面に向けて前記映像を反射する反射体をさらに備え、
前記投影機は、前記被検体の映像を反転させた反転映像を前記反射体に投影する、
請求項８に記載の医用画像診断システム。
【発明の詳細な説明】
【技術分野】
【０００１】
本発明の実施形態は、医用画像診断システムに関する。
【背景技術】
【０００２】
医用画像診断システムでは、例えば、ボアが設けられた架台に被検体を挿入して撮像する。医用画像診断システムの一例として、磁気共鳴イメージング装置は、磁石等の撮像機構を装備する架台を有し、ボア内に被検体が挿入された状態でＭＲ（Ｍａｇｎｅｔｉｃ  Ｒｅｓｏｎａｎｃｅ）撮像を行う。
【０００３】
このとき、ボア内に移動された被検体は、圧迫感や閉塞感を感じることがある。また、撮像の際に、医療従事者は、架台が設置された検査室内で、被検体に対する撮像に関する情報を確認したいことがある。
【先行技術文献】
【特許文献】
【０００４】
【特許文献１】特開２００１−３１４３９１号公報
【特許文献２】特開昭６４−８６９６２号公報
【特許文献３】特開２０１０−１２３１９号公報
【発明の概要】
【発明が解決しようとする課題】
【０００５】
実施形態の目的は、圧迫感や閉塞感を緩和することや、被検体に対する撮像に関する情報を検査室内で医療従事者が確認するときの利便性を向上させることが可能な医用画像診断システムを提供することにある。
【課題を解決するための手段】
【０００６】
本実施形態に係る医用画像診断システムは、架台と投影機とを有する。架台は、被検体が挿入されるボアを有する。投影機は、前記架台の外装における前記ボアの開口部を有する面と前記ボアの内部とにそれぞれ異なる映像を投影する。
【図面の簡単な説明】
【０００７】
【図１】図１は、本実施形態に係わる医用画像診断装置を含む医用画像診断システムの構成を示す図である。
【図２】図２は、本実施形態において、磁気共鳴イメージング装置の構成を示す図である。
【図３】図３は、本実施形態において、磁気共鳴イメージングシステムの設置環境の一例を示す図である。
【図４】図４は、本実施形態におけるスクリーン装置の斜視図である。
【図５】図５は、図４のスクリーン装置の側面図である。
【図６】図６は、本実施形態において、ボア内に配置されたスクリーン装置および投影機を架台筐体の側方から示す図である。
【図７】図７は、本実施形態において、架台筐体に投影された映像を、架台筐体とともに投影機側から示す図である。
【図８】図８は、本実施形態の応用例において、ボア内に配置されたスクリーン装置および投影機を架台筐体の側方から示す図である。
【発明を実施するための形態】
【０００８】
以下、図面を参照しながら本実施形態に係わる医用画像診断システムを説明する。なお、以下の説明において、略同一の機能及び構成を有する構成要素については、同一符号を付し、重複説明は必要な場合に行う。
【０００９】
図１は、本実施形態に係わる医用画像診断システム１の構成を示す図である。この医用画像診断システム１は、互いに有線又は無線で通信可能に接続された医用画像診断装置１０と投影機１００と投影機制御装置２００と生体情報計測装置２５０を含む。医用画像診断装置１０は、架台１１、寝台１３、スクリーン装置１５及び撮像制御ユニット１７を有する。例えば、架台１１、寝台１３及びスクリーン装置１５は、検査室に設置され、撮像制御ユニット１７は、検査室に隣接する制御室に設置される。
【００１０】
架台１１は、撮像機構を有する。架台１１には、被検体が挿入される中空形状を有するボアが形成される。すなわち、架台１１は、被検体が挿入されるボアを有する。ここで、架台１１の外装において、開口部を有する面のうち、寝台１３が設置される側をフロント面と呼ぶことにする。一方、架台１１の外装において、開口部を有する面のうち、フロント面とは反対側の面をリア面と呼ぶことにする。
【００１１】
寝台１３は、被検体が載置される天板を移動自在に支持する。寝台１３は、コンソール等による制御に従い、ボア内に天板を移動させる。ボア内には、移動可能なスクリーン装置１５が設けられる。
【００１２】
架台１１のリア面側には投影機１００が設置されている。投影機１００は、スクリーン装置１５を挟んで寝台１３とは反対側に設置される。
【００１３】
投影機制御装置２００は、投影機１００を制御するコンピュータ装置である。投影機制御装置２００は、投影対象の映像に関するデータを投影機１００に供給する。投影機１００は、投影機制御装置２００からのデータに対応する映像を、スクリーン装置１５のスクリーンと、架台１１の外装とに投影する。投影機１００による映像の投影については、後程詳述する。
【００１４】
生体情報計測装置２５０は、天板に載置された被検体の生体情報を計測する。生体情報とは、例えば、体温、呼吸数、脈拍数、血圧、心電波形、脈波形、呼吸波形等である。生体情報計測装置２５０は、計測した生体情報を、撮像制御ユニット１７に送信する。なお、被検体に対する撮像において不要である場合、生体情報計測装置２５０は、検査室に配置されなくてもよい。
【００１５】
撮像制御ユニット１７は、医用画像診断装置１０の中枢として機能する。例えば、撮像制御ユニット１７は、撮像を行うために架台１１を制御する。また、撮像制御ユニット１７は、撮像において架台１１により収集されたデータに基づいて被検体Ｐに関する医用画像を再構成する。なお、撮像制御ユニット１７は、投影機制御装置２００を介して投影機１００を制御してもよい。
【００１６】
医用画像診断システム１は、投影機１００とスクリーン装置１５とを利用して、医用画像診断装置１０による撮像時におけるボア内の居住性を高めることを可能にする。医用画像診断装置１０としては、ボアが形成された架台１１を用いて被検体を撮像可能な任意のモダリティに適用可能となっている。具体的には、本実施形態に係る医用画像診断装置１０は、ＭＲＩ装置、Ｘ線コンピュータ断層撮影（ＣＴ：Ｃｏｍｐｕｔｅｄ  Ｔｏｍｏｇｒａｐｈｙ）装置、ＰＥＴ（Ｐｏｓｉｔｒｏｎ  Ｅｍｉｓｓｉｏｎ  Ｔｏｍｏｇｒａｐｈｙ）装置及びＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置等の単一モダリティに適用可能である。或いは、本実施形態に係る医用画像診断装置１０としては、ＭＲ／ＰＥＴ装置、ＣＴ／ＰＥＴ装置、ＭＲ／ＳＰＥＣＴ装置、ＣＴ／ＳＰＥＣＴ装置等の複合モダリティに適用されても良い。しかしながら、以下の説明を具体的に行うため、本実施形態に係る医用画像診断装置１０は、磁気共鳴イメージング装置１０であるとする。また、磁気共鳴イメージング装置１０と投影機１００と投影機制御装置２００と生体情報計測装置２５０とを含む医用画像診断システム１を磁気共鳴イメージングシステム１と呼ぶことにする。
【００１７】
図２は、本実施形態に係る磁気共鳴イメージング装置１０の構成を示す図である。この磁気共鳴イメージング装置１０は、架台１１、寝台１３、スクリーン装置１５及び撮像制御ユニット１７を有する。撮像制御ユニット１７は、傾斜磁場電源２１、送信回路２３、受信回路２５及びコンソール２７を有する。コンソール２７は、撮像制御回路３１、再構成回路３２、画像処理回路３３、通信回路３４、表示回路３５、入力回路３６、主記憶回路３７及びシステム制御回路３８を有する。各回路３１〜３８は、互いにバスを介して通信可能に接続されている。傾斜磁場電源２１、送信回路２３及び受信回路２５は、コンソール２７と架台１１とは別個に設けられている。
【００１８】
架台１１は、静磁場磁石４１、傾斜磁場コイル４３及びＲＦコイル４５を有する。また、静磁場磁石４１と傾斜磁場コイル４３とは架台１１の筐体（以下、架台筐体と呼ぶ）５１に収容されている。架台筐体５１には中空形状を有するボア５３が形成されている。架台筐体５１のボア５３内にＲＦコイル４５が配置される。また、架台筐体５１のボア５３内にスクリーン装置１５が配置される。
【００１９】
静磁場磁石４１、傾斜磁場コイル４３及びＲＦコイル４５等は、撮像機構に相当する。なお、本医用画像診断装置１０がＣＴ装置、ＰＥＴ装置、ＳＰＥＣＴ装置、ＣＴ／ＰＥＴ装置、ＭＲ／ＰＥＴ装置、ＭＲ／ＳＰＥＣＴ装置、ＣＴ／ＳＰＥＣＴ装置等の各種モダリティである場合、これらモダリティにおける架台の装備は、撮像機構に相当する。
【００２０】
静磁場磁石４１は、中空の略円筒形状を有し、略円筒内部に静磁場を発生する。静磁場磁石４１は、例えば超伝導磁石である。ここで、静磁場磁石４１の中心軸をＺ軸に規定し、Ｚ軸に対して鉛直に直交する軸をＹ軸と呼び、Ｚ軸に水平に直交する軸をＸ軸と呼ぶことにする。Ｘ軸、Ｙ軸、及びＺ軸は、直交３次元座標系を構成する。
【００２１】
傾斜磁場コイル４３は、静磁場磁石４１の内側に設けられ、中空の略円筒形状に形成されたコイルユニットである。傾斜磁場コイル４３は、傾斜磁場電源２１からの電流の供給を受けて傾斜磁場を発生する。
【００２２】
傾斜磁場電源２１は、撮像制御回路３１による制御に従い傾斜磁場コイル４３に電流を供給し、傾斜磁場コイル４３に傾斜磁場を発生させる。
【００２３】
ＲＦコイル４５は、傾斜磁場コイル４３の内側に配置され、送信回路２３からＲＦパルスの供給を受けて高周波磁場を発生する。また、ＲＦコイル４５は、高周波磁場の作用を受けて被検体Ｐ内に存在する対象原子核から発せられる磁気共鳴信号（以下、ＭＲ信号と呼ぶ）を受信する。受信されたＭＲ信号は、有線又は無線を介して受信回路２５に供給される。
【００２４】
送信回路２３は、被検体Ｐ内に存在する対象原子核を励起するための高周波磁場を、ＲＦコイル４５を介して被検体Ｐに送信する。具体的には、送信回路２３は、撮像制御回路３１による制御に従って、例えばプロトンなどの対象原子核を励起するための高周波信号（ＲＦ信号）をＲＦコイル４５に供給する。ＲＦコイル４５から発生された高周波磁場は、対象原子核に固有の共鳴周波数で振動し、対象原子核を励起させる。励起された対象原子核からＭＲ信号が発生され、ＲＦコイル４５により検出される。検出されたＭＲ信号は、受信回路２５に供給される。
【００２５】
受信回路２５は、励起された対象原子核から発生されるＭＲ信号を、ＲＦコイル４５を介して受信する。受信回路２５は、受信されたＭＲ信号を信号処理してデジタルのＭＲ信号を発生する。デジタルのＭＲ信号は、有線又は無線を介して再構成回路３２に供給される。
【００２６】
一方、架台１１に隣接して寝台１３が設置される。寝台１３は、天板１３１と基台１３３とを有する。天板１３１には被検体Ｐが載置される。基台１３３は、天板１３１を例えば、Ｘ軸、Ｙ軸、Ｚ軸各々に沿ってスライド可能に支持する。基台１３３には寝台駆動装置１３５が収容される。寝台駆動装置１３５は、撮像制御回路３１からの制御を受けて天板１３１を移動させる。
【００２７】
撮像制御回路３１は、ハードウェア資源として、ＣＰＵ（Ｃｅｎｔｒａｌ  Ｐｒｏｃｅｓｓｉｎｇ  Ｕｎｉｔ）あるいはＭＰＵ（Ｍｉｃｒｏ  Ｐｒｏｃｅｓｓｉｎｇ  Ｕｎｉｔ）のプロセッサとＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリとを有する。撮像制御回路３１は、システム制御回路３８から供給されるパルスシーケンス情報に基づいて、傾斜磁場電源２１、送信回路２３及び受信回路２５を同期的に制御し、当該パルスシーケンス情報に応じたパルスシーケンスで被検体Ｐを撮像する。
【００２８】
再構成回路３２は、ハードウェア資源として、ＣＰＵやＧＰＵ（Ｇｒａｐｈｉｃａｌ  ｐｒｏｃｅｓｓｉｎｇ  ｕｎｉｔ）、ＭＰＵ等のプロセッサとＲＯＭやＲＡＭ等のメモリとを有する。再構成回路３２は、受信回路２５からのＭＲ信号に基づいて被検体Ｐに関するＭＲ画像を再構成する。なお再構成回路３２は、再構成機能を実現する特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）やフィールド・プログラマブル・ゲート・アレイ（Ｆｉｅｌｄ  Ｐｒｏｇｒａｍｍａｂｌｅ  Ｌｏｇｉｃ  Ｄｅｖｉｃｅ：ＦＰＧＡ）、他の複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）により実現されても良い。
【００２９】
画像処理回路３３は、ハードウェア資源として、ＣＰＵ、ＧＰＵ、ＭＰＵ等のプロセッサとＲＯＭやＲＡＭ等のメモリとを有する。画像処理回路３３は、再構成回路３２により再構成されたＭＲ画像に種々の画像処理を施す。
【００３０】
通信回路３４は、図示しない有線又は無線を介して投影機制御装置２００又は投影機１００との間でデータ通信を行う。通信回路３４は、生体情報計測装置２５０から有線又は無線により送信された生体情報を受信する。
【００３１】
表示回路３５は、種々の情報を表示する。例えば、表示回路３５は、再構成回路３２により再構成されたＭＲ画像や画像処理回路３３により画像処理が施されたＭＲ画像を表示する。また、表示回路３５は、投影機１００により映写される映像を表示しても良い。
【００３２】
入力回路３６は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号を、バスを介してシステム制御回路３８に供給する。なお、入力回路３６は、マウス、キーボードなどの物理的な操作部品を備えるものだけに限らない。例えば、磁気共鳴イメージング装置１０とは別体に設けられた外部の入力機器から入力操作に対応する電気信号を受け取り、受け取った電気信号を種々の回路へ出力するような電気信号の処理回路も入力回路３６の例に含まれる。
【００３３】
主記憶回路３７は、種々の情報を記憶するＨＤＤ（ｈａｒｄ  ｄｉｓｋ  ｄｒｉｖｅ）やＳＳＤ（ｓｏｌｉｄ  ｓｔａｔｅ  ｄｒｉｖｅ）、集積回路記憶装置等の記憶装置である。また、主記憶回路３７は、ＣＤ−ＲＯＭドライブやＤＶＤドライブ、フラッシュメモリ等の可搬性記憶媒体との間で種々の情報を読み書きする駆動装置等であってもよい。主記憶回路３７は、ＭＲ画像や磁気共鳴イメージング装置１０の制御プログラム等を記憶する。
【００３４】
システム制御回路３８は、ハードウェア資源として、ＣＰＵ、ＭＰＵ等のプロセッサとＲＯＭ、ＲＡＭ等のメモリとを有する。システム制御回路３８は、磁気共鳴イメージング装置１０の中枢として機能する。システム制御回路３８は、主記憶回路３７に記憶されている制御プログラムを読み出してメモリ上に展開し、展開された制御プログラムに従って磁気共鳴イメージング装置１０の各部を制御する。
【００３５】
図３は、本実施形態に係る磁気共鳴イメージングシステムの設置環境の一例を示す図である。ＭＲ撮像が行われる検査室３００には架台１１と寝台１３と生体情報計測装置２５０とが設置されている。架台１１の前方に寝台１３が設けられている。架台１１のボアにはスクリーン装置１５が設けられている。検査室３００に隣接する制御室４００には、コンソール２７と投影機１００と投影機制御装置２００とが設置されている。投影機１００は、検査室３００と制御室４００との間の壁５００を隔てて架台１１の後方に設置される。壁５００のうちの、投影機１００から架台１１に向かう投影光ＬＰが伝播する部分には当該投影光ＬＰが透過可能な窓５１０が設けられている。窓５１０を介して、制御室４００に設置された投影機１００から検査室３００のスクリーン装置１５に投影光ＬＰを伝播させることができる。なお、上記のレイアウトは一例であり、例えば投影機１００を磁場による影響を受けない材料で構成できるのであれば、投影機１００は検査室３００内に設けられてもよい。
【００３６】
次に図４、図５を参照しながらスクリーン装置１５の構造について説明する。図４は、スクリーン装置１５の斜視図である。図５は、スクリーン装置１５の側面図である。スクリーン装置１５は、移動体６１、スクリーン６３、支持体６５、反射板６７を有する。移動体６１は、Ｚ軸に沿って移動する構造体である。移動体６１は、スクリーン６３と支持体６５とを支持する。移動体６１は、樹脂等の磁場に作用しない非磁性材料により形成される。移動体６１は、例えば、天板１３１とスクリーン装置１５とを中心軸Ｚに沿ってガイドするレールに沿って動くようにしても良い。
【００３７】
スクリーン６３は、移動体６１に設けられている。スクリーン６３には、投影機１００から出力される映像が、リア面側から投影される。天板１３１に載置された被検体Ｐは、スクリーン６３に映し出された映像を、支持体６５に支持された反射板６７を介して見ることができる。
【００３８】
支持体６５は移動体６１に取り付けられる。支持体６５は、反射板６７をスクリーン６３と寝台１３との間の空間に配置するように支持する。
【００３９】
反射板６７は、移動体６１と天板１３１とが隣接している状態において、天板１３１に載置された患者Ｐの頭部にぶつからない程度に、移動体６１の表面から離間して支持体６５により支持される。反射板６７は、スクリーン６３に投影された映像を反射する。反射板６７は、非磁性材料により形成され、対象を光学的に反射可能であれば如何なる素材により形成されてもよい。
【００４０】
以上、本実施形態における磁気共鳴イメージングシステム１について説明した。このような構成のもと、ボア５３内に移動された被検体Ｐによる圧迫感及び閉塞感を緩和するために、被検体Ｐをリラックスさせるための映像が、投影機１００によりボア５３内やスクリーン６３に投影される。このとき、ボア５３内やスクリーンに映像が投影されるとき、架台筐体５１のリア面にも、映像を投影可能な範囲が存在する場合がある。以下、架台筐体５１の外装に投影される映像を、医療従事者（技師、検査者等）のために有効活用する磁気共鳴イメージングシステム１について、詳細に説明する。
【００４１】
図６は、被検体Ｐを載置する天板１３１がスクリーン装置１５とともにボア５３内を移動する様子を、架台筐体５１の側方から示す図である。図６に示すように、寝台１３は、架台１１の外装における開口部を有する２つの面（５３３、５３５）のうちフロント面５３３の開口部を介して架台１１のボア内に挿脱自在に移動可能であって、被検体Ｐが載置される天板１３１を有する。換言すれば、架台筐体５１において、フロント面５３３は、寝台１３から架台１１のボア５３内への被検体Ｐの移動時において、被検体Ｐを載置した天板１３１が横切る開口部を有する。フロント面５３３は、例えば、架台１１の外装における開口部を有する２つの面（５３３、５３５）のうち一方の面に相当する。
【００４２】
投影機１００は、上記２つの面（５３３、５３５）のうちリア面５３５に対して映像を投影する。換言すれば、リア面５３５は、上記２つの面（５３３、５３５）のうち、フロント面５３３とは異なる面である。リア面５３５は、架台筐体５１において開口部を有する。図６に示すように、投影機１００は、リア面５３５とこの開口部の内部とに、それぞれ異なる映像を投影する。リア面５３５は、例えば、架台１１の外装における開口部を有する２つの面（５３３、５３５）のうち一方の面とは異なる他方の面に相当する。
【００４３】
スクリーン装置１５のスクリーン６３には、投影光に対応する第１映像が映し出される。スクリーン６３に映し出された第１映像は、反射板６７で反射される。このとき、天板１３１に載置された被検体Ｐは、スクリーン６３に映し出された第１映像を、反射板６７を介して見ることができる。第１映像は、例えば、撮像時において被検体Ｐをリラックスさせることが可能な映像である。なお、第１映像の投影先は、スクリーン装置１５におけるスクリーン６３に限定されない。第１映像の投影先は、例えば、ボア５３と架台筐体５１との境界部分に対応する架台筐体５１の内壁、例えばボア５３の内壁に映し出されてもよい。このとき、ボア５３の内壁に投影された映像も第１映像とみなしてもよい。
【００４４】
投影機１００は、第１映像とは異なる映像（第２映像）を、架台１１における開口部を有するリア面５３５に投影する。すなわち、投影機１００は、架台１１の外装におけるボア５３の開口部を有する面（リア面５３５）とボア５３の内部とにそれぞれ異なる映像を投影する。第２映像とは、被検体Ｐに対する撮像に関する情報である。この情報は、例えば、被検体Ｐの生体情報、本医用画像診断システム１における装置操作画面、被検体Ｐに対する撮像により再構成された再構成画像、撮像条件である。装置操作画面とは、技師等の医療従事者により入力された撮像条件や検査情報である。装置操作画面は、例えばコイルセッティングに関する情報である。コイルセッティングに関する情報とは、例えば、入力回路３６を介して医療従事者により選択されたＲＦコイル４５の種別を示す情報である。ＲＦコイル４５の種別を示す情報は、例えば、被検体Ｐに設置されたＲＦコイル４５の名称、ＲＦコイル４５の外形の映像である。再構成画像は、例えば、被検体Ｐに対する再構成画像である。撮像条件は、例えば、被検体Ｐに対する撮像に関する撮像パラメータである。なお、リア面５３５には、第１映像の一部分が映りこんでもよい。
【００４５】
主記憶回路３７は、第１映像に対応する映像情報と、被検体Ｐに対する撮像に関する情報とを記憶する。映像情報と被検体Ｐに対する撮像に関する情報とは、主記憶回路３７からシステム制御回路３８に読み出される。
【００４６】
以下、被検体Ｐに対する撮像に関する情報として、心電波形を例にとって説明する。このとき、第２映像は、被検体Ｐの心電波形に相当する。なお、生体情報計測装置２５０が医用画像診断装置１０に接続されていない場合、投影機１００は、ＲＦコイル４５の種別を示す情報、リアルタイム再構成画像、撮像条件などに対応する第２映像を、リア面５３５における架台筐体５１の外装に投影する。
【００４７】
システム制御回路３８は、映像制御機能３８１を有する。映像制御機能３８１は、投影機１００から投影される投影光に関する映像データを生成する機能を有する。具体的には、映像制御機能３８１を実現するシステム制御回路３８は、映像情報と被検体Ｐに対する撮像に関する情報とに基づいて、投影機１００に出力する映像データを生成する。具体的には、システム制御回路３８は、投影機１００から投影される投影光の焦点から架台１１までの距離と、架台筐体５１における開口部の大きさとを用いて、開口部の内部に第１映像が投影され、リア面５３５に第２映像が投影される映像データを生成する。システム制御回路３８は、通信回路３４を介して映像データを投影機１００に出力する。映像データと投影機１００とにより、開口部の内部には第１映像が投影され、リア面５３５には第２映像が投影される。
【００４８】
図７は、開口部の内側に位置するスクリーン６３に投影された第１映像６３１と、投影機１００側から見た架台筐体５１における開口部を有するリア面５３５に投影された第２映像６３３との一例を示す図である。図７に示すように、リア面５３５における開口部の上部には、第２映像として心電波形６３３が投影される。
【００４９】
なお、架台筐体５１の外装において、心電波形が投影される位置は、開口部の上部に限定されない。第２映像６３３の投影位置は、開口部の中心に対する医療従事者Ｓの位置に応じて、適宜変更されてもよい。このとき、投影機１００は、リア面５３５の開口部に対する医療従事者Ｓの相対的な位置に応じて、撮像に関する情報を示す映像の投影位置を変更する。例えば、第２映像６３３の投影位置は、検査室３００に設けられたカメラによる医療従事者Ｓと架台１１との位置関係に基づいて、システム制御回路３８による映像データの調整により設定される。具体的には、図７において、技師等の医療従事者Ｓが架台１１の開口部に対して左側に位置している場合、心電波形６３３は、架台筐体５１の開口部の右側に投影される。
【００５０】
また、第２映像６３３の投影位置は、架台筐体５１に設けられたボタンの押下により、切り替えられてもよい。ボタンは、例えば、架台筐体５１の２つのフロント面５３３およびリア面５３５において、水平方向に沿って開口部を挟む端部に設けられる。ボタンの押下に応じて、映像データは、システム制御回路３８により調整される。具体的には、図７において、医療従事者Ｓが架台１１の開口部に対して左側に位置しているボタンを押下した場合、映像データの調整により、心電波形６３３は、架台筐体５１の開口部の右側に投影される。
【００５１】
なお、被検体Ｐの生体情報、被検体Ｐに設置されたＲＦコイル４５の種別を示す情報、リアルタイム再構成画像、撮像条件などのうち少なくとも２つに対応する映像は、リア面５３５の異なる位置にそれぞれ投影されてもよい。このとき、第２映像６３３の投影位置は、入力回路３６を介した医療従事者Ｓの指示により設定されてもよいし、予め設定されていてもよい。
【００５２】
以上に述べた構成によれば、以下のような効果を得ることができる。
本実施形態に係る医用画像診断システム１によれば、架台１１における開口部を有する面と開口部の内部とにそれぞれ異なる映像を投影することができる。すなわち、目的の異なる２つの映像を異なる位置にそれぞれ投影することができる。例えば、撮像時における被検体Ｐのストレスを緩和する目的の第１映像は、開口部の内部を介して、ボア５３内における架台１１の内壁に投影することができる。加えて、被検体Ｐに対する撮像に関する情報を示す目的の第２映像は、架台１１における開口部を有する面（フロント面５３３またはリア面５３５）に投影することができる。これにより、被検体Ｐに対する撮像に関する情報を表示するための複数のモニタを設置することなく、低コストで、架台１１のボア５３内の居住性の向上とともに、検査室内の医療従事者Ｓに、被検体Ｐに対する撮像に関する情報を映像として提供することができる。従って、ボア５３内における被検体Ｐの圧迫感や閉塞感を緩和することや、撮像の際に被検体Ｐに対する撮像に関する情報を検査室３００内で医療従事者Ｓが確認するときの利便性を向上させることができる。
【００５３】
具体的には、本医用画像診断システム１は、架台１１における開口部を有するリア面５３５に、被検体Ｐに対する撮像に関する情報を示す映像を投影することができる。これにより、例えば、被検体Ｐがヘッドファーストで架台１１のボア５３内に移動される場合、投影機１００側の開口部近傍に位置する医療従事者Ｓは、ボア５３内に移動された被検体Ｐの様子や被検体Ｐに設置されたＲＦコイル４５の状態、種別などを観察するとともに、被検体Ｐに対する撮像に関する情報を容易に確認することができる。
【００５４】
また、本実施形態に係る医用画像診断システム１によれば、開口部の内部に投影される映像を映し出すスクリーン６３と、スクリーン６３に映し出された映像を反射する反射板６７と、反射板６７を支持する支持体６５とを有するスクリーン装置１５を、架台１１のボア５３内に配置することができる。これにより、投影機１００から開口部の内部に映像を投影するとともに、被検体Ｐに対する撮像に関する情報を示す映像を架台筐体５１に投影することができる。すなわち、開口部の内部（スクリーン装置１５、架台筐体５１の内壁等）に映像を投影する場合、投影機１００による投影光の到達範囲を有効活用して、医療従事者Ｓに有用な情報を示す映像を投影機１００側の架台筐体５１の外装のリア面５３５に投影することができる。
【００５５】
加えて、本実施形態に係る医用画像診断システム１によれば、リア面５３５の開口部に対する医療従事者Ｓの相対的な位置に応じて、撮像に関する情報を示す第２映像６３３の投影位置を変更することができる。例えば、被検体Ｐに対する撮像に関する情報を示す第２映像６３３は、図７において、開口部を挟んで医療従事者Ｓと反対側に投影される。これにより、医療従事者Ｓは、より簡便に、被検体Ｐに対する撮像に関する情報を視認することができる。
【００５６】
以上のことから、本実施形態に係る医用画像診断システム１によれば、ボア５３内における被検体Ｐの圧迫感や閉塞感が第１映像６３１により緩和され、投影機１００による投影光の到達範囲を有効活用することにより、検査室３００内で医療従事者Ｓが被検体Ｐに対する撮像に関する情報を示す第２映像６３３を簡便に確認することができる。これにより、本医用画像診断システム１は、低コストで、医療従事者Ｓの利便性を向上させることができる。
【００５７】
（応用例）  
本応用例におけるスクリーン装置１５において、支持体６５と反射板６７とスクリーン６３とのうち少なくとも一つには、天板１３１に載置された被検体Ｐを撮影する撮影部が搭載される。加えて、本応用例における架台筐体５１の外装において、リア面５３５の一部には、架台１１が設置された検査室３００の壁５００の一部に向けて映像を反射する反射体が設けられる。本応用例における投影機１００は、撮影部により撮影された被検体Ｐの映像を反転した反転映像を、反射体に投影する。以下、理解を容易にするために、撮像部は、スクリーン６３の上端部に搭載されているものとして説明する。
【００５８】
図８は、本応用例において、ボア５３内に配置されたスクリーン装置１５および投影機１００を架台筐体５１の側方から示す図である。図８に示すように、反射体７０は、リア面５３５において、例えば、開口部の直上に設けられる。反射体７０は、第２映像を、検査室３００の壁５００の一部分５２０に反射する。反射体７０は、例えばミラーである。
【００５９】
撮影部は、天板１３１に載置された被検体Ｐを撮影する。撮影部は、例えば、光学式カメラである。撮像部は、対物レンズ７３と、不図示の光ファイバとを有する。対物レンズ７３と、光ファイバとは、非磁性材料により形成される。なお、架台１１が磁気共鳴撮像に関する架台ではない場合、撮像部は、一般的な光学撮影機器であってもよい。
【００６０】
対物レンズ７３は、天板１３１に載置された被検体Ｐおよび被検体Ｐに設置されたＲＦコイル４５を撮影可能なように、スクリーン６３の上端部に設けられる。光ファイバは、対物レンズ７３からの光を導く光導波路である。光ファイバは、対物レンズ７３からの光を架台１１の外部に設けられた電荷結合素子（ｃｈａｒｇｅ−ｃｏｕｐｌｅｄ  ｄｅｖｉｃｅ：ＣＣＤ）に導くため、対物レンズ７３とＣＣＤとを接続する。光ファイバは、レール又は架台筐体５１の内壁の表面に取り付けられてもよいし、レール又は架台筐体５１の内部に埋設されてもよい。
【００６１】
ＣＣＤは、光ファイバからの光を受光し、当該光を電気信号に変換する複数の受光素子を有する。ＣＣＤは、複数の受光素子からの電気信号に基づいて、被検体Ｐに関する光学画像データを発生する。ＣＣＤは、例えば、コンソール２７に設けられる。光学画像データに対応する被検体の映像は表示回路３５により表示される。医療従事者等は、被検体Ｐの映像を観察することによりＭＲ撮像中の被検体Ｐを監視することができる。被検体Ｐの映像は、例えば、被検体Ｐに設置されたＲＦコイル４５を包含する撮像視野を有する。
【００６２】
映像制御機能３８１を実現するシステム制御回路３８は、被検体Ｐの映像を左右反転させることにより、反転映像を生成する。システム制御回路３８は、反転映像を用いて、映像データを生成する。システム制御回路３８は、第２映像の投影位置が架台筐体５１に設けられた反射体７０の位置と整合するように、映像データを調整する。これにより、反転映像は、反射体７０により反転されて、検査室３００の壁５００の一部分５２０に投影される。
【００６３】
なお、システム制御回路３８は、被検体Ｐに対する撮像に関する情報を用いて、反転映像を生成してもよい。このとき、例えば、心電波形の反転映像が反射体７０により反転されて、検査室３００の壁５００の一部分５２０に投影される。
【００６４】
また、システム制御回路３８は、反射体７０の位置に反転映像を投影し、リア面５３５において反射体７０が設置された位置とは異なる位置に被検体Ｐに対する撮像に関する情報を投影するように、映像データを生成してもよい。このとき、投影機１００は、反射体７０に反転映像を投影し、リア面５３５における反射体７０の設置位置とは異なる位置に、被検体Ｐに対する撮像に関する情報を投影することができる。
【００６５】
上記構成により、医療従事者Ｓは、図８に示すように、検査室３００の任意の位置において、検査室３００の壁５００の一部分５２０に投影された第２映像を見ることにより、被検体Ｐの状態を確認することができる。なお、反射体７０により反射された第２映像の投影先は、図８に示すように、検査室３００の壁５００の一部分５２０に限定されず、例えば、検査室３００の天井などであってもよい。また、反射体７０は、架台１１と医療従事者Ｓとの位置関係に基づいて、所定の駆動機構により任意の回転軸周りに回転されてもよい。このとき、反射体７０により反射された第２映像は、検査室３００内における医療従事者Ｓの位置に応じて、医療従事者Ｓが視認しやすい位置に投影される。
【００６６】
以上に述べた構成によれば、以下のような効果を得ることができる。  
本実施形態に係る医用画像診断システム１によれば、スクリーン装置１５に搭載された撮影部により天板１３１に載置された被検体Ｐを撮影し、被検体Ｐの映像を反転させた反転映像を、リア面５３５に設けられた反射体７０に投影することができる。すなわち、被検体Ｐの映像を、反射体７０を介して検査室３００の壁５００の一部分５２０に投影することができる。これにより、検査室３００における医療従事者Ｓおよび被検体Ｐの付添者は、検査室３００の任意の位置において、被検体Ｐおよび被検体Ｐに設置されたＲＦコイル４５の状態を確認することができる。従って、ボア５３内における被検体Ｐの圧迫感や閉塞感を緩和することや、撮像の際に被検体Ｐに対する撮像に関する情報を検査室３００内で医療従事者Ｓが確認するときの利便性を向上させることができる。
【００６７】
これらのことから、本実施形態に係る医用画像診断装置１０によれば、投影機１００による投影光の到達範囲を有効活用することにより、被検体Ｐに対する撮像に関する情報として、反射体７０を介して検査室３００の壁面等に投影された被検体Ｐの映像を、医療従事者Ｓおよび被検体Ｐの付添者に提示することができる。これにより、医療従事者Ｓおよび被検体Ｐの付添者は、ボア５３内を観察することなく、ボア５３内の被検体Ｐの様子および被検体Ｐに設置されたＲＦコイル４５の状態を確認することができる。
【００６８】
また、本医用画像診断システム１によれば、被検体Ｐに対する撮像に関する情報を示す反転映像を反射体７０に投影し、反射体７０により反射された映像を検査室３００の壁５００の一部分５２０に投影することができる。これにより、検査室３００における医療従事者Ｓは、検査室３００の任意の位置において、被検体Ｐに対する撮像に関する情報を確認することができる。
【００６９】
また、本医用画像診断システム１によれば、反射体７０に反転映像を投影し、リア面５３５における反射体７０の設置位置とは異なる位置に、被検体Ｐに対する撮像に関する情報を投影することができる。これにより、検査室３００における医療従事者Ｓは、検査室３００の任意の位置において、被検体Ｐに対する撮像に関する様々な情報を確認することができる。
【００７０】
以上述べた実施形態および応用例等の医用画像診断システム１によれば、圧迫感や閉塞感を緩和可能であって、被検体に対する撮像に関する情報を検査室内で医療従事者が確認するときの利便性を向上することができる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００７２】
１…医用画像診断システム（磁気共鳴イメージングシステム）、１０…医用画像診断装置（磁気共鳴イメージング装置）、１１…架台、１３…寝台、１５…スクリーン装置、１７…撮像制御ユニット、２１…傾斜磁場電源、２３…送信回路、２５…受信回路、２７…コンソール、３１…撮像制御回路、３２…再構成回路、３３…画像処理回路、３４…通信回路、３５…表示回路、３６…入力回路、３７…主記憶回路、３８…システム制御回路、４１…静磁場磁石、４３…傾斜磁場コイル、４５…ＲＦコイル、５１…架台筐体、５３…ボア、６１…移動体、６３…スクリーン、６５…支持体、６７…反射板、７０…反射体、７３…対物レンズ、１００…投影機、１３１…天板、１３３…基台、１３５…寝台駆動装置、２００…投影機制御装置、２５０…生体情報計測装置、３００…検査室、３８１…映像制御機能、４００…制御室、５００…壁、５１０…窓、５２０…反射体を介して第２映像が投影される壁の一部分、５３３…フロント面、５３５…リア面、６３１…第１映像、６３３…第２映像。
【図１】
2018029763.tif 000003
【図２】
2018029763.tif 000004
【図３】
2018029763.tif 000005
【図４】
2018029763.tif 000006
【図５】
2018029763.tif 000007
【図６】
2018029763.tif 000008
【図７】
2018029763.tif 000009
【図８】
2018029763.tif 000010